【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
被写体の光を画像データに変換する撮像素子と、
異なる撮影条件を複数取得する取得手段と、
ユーザが前記取得手段により取得された複数の撮影条件の中から任意の撮影条件を選択する選択手段と、
前記撮像素子を用いて、前記取得手段により取得された各撮影条件での撮像を複数回行なうとともに、前記取得手段により取得されたある撮影条件で複数回撮像する間に、該取得された他の撮影条件での撮像を介在させるという撮像動作を、該取得した全ての撮影条件での複数回の撮像に適用することにより、該取得した全ての撮影条件での撮像が入り混じった連続撮像を行なう第１の連続撮像制御手段と、
前記第１の連続撮像制御手段により撮像されたフレーム画像データに基づいて、各撮影条件の動画像データを生成する生成手段と、
を備え、
前記第１の連続撮像制御手段は、
前記選択手段により選択された撮影条件の撮像回数を他の撮影条件の撮像回数より多くして連続撮像を行なうことを特徴とする撮像装置。
【請求項２】
前記取得手段は、
異なる撮影条件として、異なるシャッタスピード、又は、異なる絞りを複数取得することを特徴とする請求項１記載の撮像装置。
【請求項３】
前記生成手段により生成された各動画像データを表示手段にマルチ表示させる表示制御手段を備えたことを特徴とする請求項１又は２記載の撮像装置。
【請求項４】
前記表示制御手段は、
前記生成手段により生成された各動画像データを同じ大きさで表示させることを特徴とする請求項３記載の撮像装置。
【請求項５】
前記表示制御手段は、
前記生成手段により生成された各動画像データのうち、任意の動画像データを他の動画像データより大きくして表示させることを特徴とする請求項３又は４記載の撮像装置。
【請求項６】
前記選択手段は、
前記表示制御手段によりマルチ表示されている各動画像データの中から任意の動画像データを選択することにより、任意の撮影条件を選択することを特徴とする請求項３乃至５の何れかに記載の撮像装置。
【請求項７】
前記取得手段は、
ユーザによって複数指定されたシャッタスピード、又は、ユーザによって複数指定された感度又は露出補正値にそれぞれ対応するシャッタスピードを複数取得することを特徴とする請求項１乃至６の何れかに記載の撮像装置。
【請求項８】
異なる撮影条件を複数取得する取得処理と、
この取得手段により取得された複数の撮影条件の中から任意の撮影条件を選択する選択処理と、
被写体の光を画像データに変換する撮像素子を用いて、前記取得処理により取得された各撮影条件での撮像を複数回行なうとともに、前記取得手段により取得されたある撮影条件で複数回撮像する間に、該取得された他の撮影条件での撮像を介在させるという撮像動作を、前記選択処理により選択された撮影条件の撮像回数を他の撮影条件の撮像回数より多くして該取得した全ての撮影条件での複数回の撮像に適用することにより、該取得した全ての撮影条件での撮像が入り混じった連続撮像を行なう連続撮像処理と、
前記連続撮像処理により撮像されたフレーム画像データに基づいて、各撮影条件の動画像データを生成する生成処理と、
を含み、上記各処理をコンピュータで実行させることを特徴とするプログラム。
【手続補正２】
【補正対象書類名】明細書
【補正対象項目名】０００６
【補正方法】変更
【補正の内容】
【０００６】
上記目的達成のため、請求項１記載の発明による撮像装置は、被写体の光を画像データに変換する撮像素子と、
異なる撮影条件を複数取得する取得手段と、
ユーザが前記取得手段により取得された複数の撮影条件の中から任意の撮影条件を選択する選択手段と、
前記撮像素子を用いて、前記取得手段により取得された各撮影条件での撮像を複数回行なうとともに、前記取得手段により取得されたある撮影条件で複数回撮像する間に、該取得された他の撮影条件での撮像を介在させるという撮像動作を、該取得した全ての撮影条件での複数回の撮像に適用することにより、該取得した全ての撮影条件での撮像が入り混じった連続撮像を行なう第１の連続撮像制御手段と、
前記第１の連続撮像制御手段により撮像されたフレーム画像データに基づいて、各撮影条件の動画像データを生成する生成手段と、
を備え、
前記第１の連続撮像制御手段は、
前記選択手段により選択された撮影条件の撮像回数を他の撮影条件の撮像回数より多くして連続撮像を行なうことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
また、例えば、請求項６に記載されているように、前記選択手段は、
前記表示制御手段によりマルチ表示されている各動画像データの中から任意の動画像データを選択することにより、任意の撮影条件を選択するようにしてもよい。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】変更
【補正の内容】
【００２５】
また、例えば、請求項７に記載されているように、前記取得手段は、
ユーザによって複数指定されたシャッタスピード、又は、ユーザによって複数指定された感度又は露出補正値にそれぞれ対応するシャッタスピードを複数取得するようにしてもよい。
【手続補正１８】
【補正対象書類名】明細書
【補正対象項目名】００２６
【補正方法】変更
【補正の内容】
【００２６】
上記目的達成のため、請求項２１記載の発明によるプログラムは、異なる撮影条件を複数取得する取得処理と、
この取得手段により取得された複数の撮影条件の中から任意の撮影条件を選択する選択処理と、
被写体の光を画像データに変換する撮像素子を用いて、前記取得処理により取得された各撮影条件での撮像を複数回行なうとともに、前記取得手段により取得されたある撮影条件で複数回撮像する間に、該取得された他の撮影条件での撮像を介在させるという撮像動作を、前記選択処理により選択された撮影条件の撮像回数を他の撮影条件の撮像回数より多くして該取得した全ての撮影条件での複数回の撮像に適用することにより、該取得した全ての撮影条件での撮像が入り混じった連続撮像を行なう連続撮像処理と、
前記連続撮像処理により撮像されたフレーム画像データに基づいて、各撮影条件の動画像データを生成する生成処理と、
を含み、上記各処理をコンピュータで実行させることを特徴とする。